(57)【要約】【課題】本体部に対し着脱可能な媒体収納庫を簡素に構成しながら、該媒体収納庫から媒体が不正に取り出されることを未然に防止し得るようにする。【解決手段】紙幣出金機１では、束搬送ユニット３の後部ガイド２４に取り付けた発光部６１及び受光部６２と、リジェクトカセット１７の第１ガイド面４１に取り付けたプリズム６３とにより紙幣束検知部６０を構成し、その光軸Ｘ１及びＸ２を仮想的な最短円弧ＣＳよりも下流側に位置させるようにした（図５）。これにより紙幣出金機１では、着脱されるリジェクトカセット１７を簡素な構成としながら、閉塞異常予備状態の紙幣束Ｗ、すなわちシャッタ４５の閉塞時に第１ガイド面４１との間に挟まれる恐れがある紙幣束Ｗの存在を確実に検知でき、保守作業の実施を促すことができる。【選択図】図５
2018030679.tif 000002
【特許請求の範囲】
【請求項１】
紙葉状の媒体を集積してなる媒体束を利用者に引き渡す本体部と、
前記本体部に対し着脱可能に構成され、前記利用者に引き渡されなかった前記媒体束を収納する媒体収納庫と
を具え、
前記本体部は、
前記媒体束を前記媒体収納庫よりも上側で搬送すると共に、該媒体束を前記媒体収納庫へ落下させる束搬送部と、
検知光を発光する発光部と、
前記検知光を受光する受光部と
を具え、
前記媒体収納庫は、
前記本体部の前記束搬送部から落下される前記媒体束を取り込む取込孔と、
前記取込孔よりも下側に設けられ、前記媒体束を収納する収納空間と、
前記取込孔と前記収納空間とを連通させ、前記媒体束を通過させる連通空間と、
前記取込孔を開放又は閉塞するシャッタと、
前記連通空間を挟んで前記本体部の前記発光部及び前記受光部と対向する位置に設けられ、前記本体部の前記発光部から出射された前記検知光を、前記受光部へ向けて進行させる導光部と
を具え、
前記発光部、前記受光部及び前記導光部は、前記シャッタによる前記取込孔の閉塞を阻害する位置にある前記媒体束により前記検知光が遮られるよう、それぞれ配置されている
ことを特徴とする媒体取引装置。
【請求項２】
前記媒体収納庫は、前記連通空間の下側面であり、水平方向及び鉛直方向に対し傾斜され、前記媒体束を案内するガイド面をさらに具え、
前記収納空間は、前記取込孔に対し水平方向に異なる位置に設けられ、
前記導光部は、前記ガイド面に設けられている
ことを特徴とする請求項１に記載の媒体取引装置。
【請求項３】
前記発光部、前記受光部及び前記導光部は、
前記ガイド面に対し前記媒体束が紙面を当接させ、且つ該媒体束の上端が前記シャッタと前記取込孔との間に挟まれる場合における該媒体束の下端を中心として、該媒体束における上端及び下端を結ぶ辺の長さを半径として前記連通空間において描いた仮想的な円弧よりも下側に、前記検知光の光軸のうち前記連通空間内に位置する部分の全範囲を位置させる
ことを特徴とする請求項２に記載の媒体取引装置。
【請求項４】
前記発光部、前記受光部及び前記導光部は、
取り扱われる媒体のうち前記上端及び前記下端を結ぶ前記辺の長さが最も短い最短媒体束が集積されてなる最短媒体束における、当該辺の長さを半径として描いた仮想的な円弧である最短円弧よりも下側に、前記検知光の光軸のうち前記連通空間内に位置する部分の全範囲を位置させる
ことを特徴とする請求項３に記載の媒体取引装置。
【請求項５】
前記本体部は、
前記束搬送部における前記取込孔の上側において、前記媒体束の搬送方向に沿って移動することにより該束搬送部と該取込孔との間を連通させ又は遮断する束搬送ガイドと、
前記束搬送ガイドにおける前記取込孔と対向する箇所に設けられ、前記取込孔へ向けて突出した突出体と
をさらに具えることを特徴とする請求項１に記載の媒体取引装置。
【請求項６】
紙葉状の媒体を集積してなる媒体束を利用者に引き渡す本体部に対し、着脱可能に構成された媒体収納庫であって、
前記本体部において前記媒体収納庫の上側で前記媒体束を搬送する束搬送部から落下される該媒体束を取り込む取込孔と、
前記取込孔よりも下側に設けられ、前記媒体束を収納する収納空間と、
前記取込孔と前記収納空間とを連通させ、前記媒体束を通過させる連通空間と、
前記取込孔を開放又は閉塞するシャッタと、
前記本体部に設けられ所定の検知光を発光する発光部及び該検知光を受光する受光部に対し、前記連通空間を挟んで対向する位置に設けられ、前記発光部から出射された前記検知光を、前記受光部へ向けて進行させる導光部と
を具え、
前記導光部は、前記シャッタによる前記取込孔の閉塞を阻害する位置にある前記媒体束により前記検知光が遮られるよう、配置されている
ことを特徴とする媒体収納庫。
【発明の詳細な説明】
【技術分野】
【０００１】
本発明は媒体取引装置及び媒体収納庫に関し、例えば媒体としての紙幣を出金する紙幣出金機に適用して好適なものである。
【背景技術】
【０００２】
従来、金融機関等で使用される紙幣出金機においては、利用者（例えば金融機関の顧客）からの要求に応じて紙幣や硬貨等の現金を出金するものが広く普及している。
【０００３】
紙幣出金機としては、例えば紙幣を収納する紙幣収納庫と、紙幣を搬送する搬送部と、紙幣を鑑別する鑑別部と、出金可能な紙幣を集積し紙幣束とする集積部と、出金すべきで無いリジェクト紙幣を収納するリジェクト収納庫と、紙幣束を搬送する束搬送部と、利用者に紙幣束を引き渡す出金口とを有するものが提案されている（例えば、特許文献１参照）。
【先行技術文献】
【特許文献】
【０００４】
【特許文献１】特許第５１５６０９７号公報（第１図）
【発明の概要】
【発明が解決しようとする課題】
【０００５】
ところで紙幣出金機のなかには、利用者が出金口から取り忘れた紙幣束（以下これを取忘紙幣束と呼ぶ）を取り込んで束搬送部により出金時と反対方向へ搬送し、該束搬送部の下側に設けられた収納庫（以下これを取忘収納庫又はリトラクト庫とも呼ぶ）へ投下して収納させるものもある。
【０００６】
このような紙幣出金機では、リトラクト庫内に収納された紙幣束の回収作業を効率化する等の観点から、該リトラクト庫を本体部に対して着脱可能に構成する場合がある。この場合、リトラクト庫の束搬送部側に形成された受入口に開閉可能なシャッタを配置し、該リトラクト庫の着脱に応じて該シャッタを自動的に開閉させる機構を設けることにより、取り外されたリトラクト庫から紙幣束が不正に取り出されることを未然に防止できる。
【０００７】
しかしながら紙幣出金機では、例えばリトラクト庫内において紙幣束が様々な姿勢で収納された場合等に、該紙幣束の一部が受入口から該リトラクト庫の外部へはみ出た状態となる可能性がある。このような場合、紙幣出金機では、本体部からリトラクト庫を取り外す際に、シャッタを閉塞させようとしても、該シャッタと受入口との間に紙幣束が挟まり、正常に閉塞できなくなる。このため紙幣出金機では、取り出されたリトラクト庫から悪意ある者により紙幣が不正に抜き取られてしまう恐れがある、という問題があった。
【０００８】
本発明は以上の点を考慮してなされたもので、本体部に対し着脱可能な媒体収納庫を簡素に構成しながら、該媒体収納庫から媒体が不正に取り出されることを未然に防止し得る媒体取引装置及び媒体収納庫を提案しようとするものである。
【課題を解決するための手段】
【０００９】
かかる課題を解決するため本発明の媒体取引装置においては、紙葉状の媒体を集積してなる媒体束を利用者に引き渡す本体部と、装置本体部に対し着脱可能に構成され、利用者に引き渡されなかった媒体束を収納する媒体収納庫とを設け、本体部は、媒体束を媒体収納庫よりも上側で搬送すると共に、該媒体束を媒体収納庫へ落下させる束搬送部と、検知光を発光する発光部と、検知光を受光する受光部とを具え、媒体収納庫は、本体部の束搬送部から落下される媒体束を取り込む取込孔と、取込孔よりも下側に設けられ、媒体束を収納する収納空間と、取込孔と収納空間とを連通させ、媒体束を通過させる連通空間と、取込孔を開放又は閉塞するシャッタと、連通空間を挟んで本体部の発光部及び受光部と対向する位置に設けられ、本体部の発光部から出射された検知光を、受光部へ向けて進行させる導光部とを設け、発光部、受光部及び導光部は、シャッタによる取込孔の閉塞を阻害する位置にある媒体束により検知光が遮られるよう、それぞれ配置されているようにした。
【００１０】
また本発明の媒体収納庫においては、紙葉状の媒体を集積してなる媒体束を利用者に引き渡す本体部に対し、着脱可能に構成された媒体収納庫であって、本体部において媒体収納庫の上側で媒体束を搬送する束搬送部から落下される該媒体束を取り込む取込孔と、取込孔よりも下側に設けられ、媒体束を収納する収納空間と、取込孔と収納空間とを連通させ、媒体束を通過させる連通空間と、取込孔を開放又は閉塞するシャッタと、本体部に設けられ所定の検知光を発光する発光部及び該検知光を受光する受光部に対し、連通空間を挟んで対向する位置に設けられ、発光部から出射された検知光を、受光部へ向けて進行させる導光部とを設け、導光部は、シャッタによる取込孔の閉塞を阻害する位置にある媒体束により検知光が遮られるよう、配置されているようにした。
【００１１】
本発明は、媒体収納庫に電子部品を設ける必要や、電力供給や通信のための配線等を設ける必要無く、本体部の発光部から出射され連通空間を通過した検知光の進行方向を媒体収納庫の導光部で変化させて、本体部の受光部へ進行させて受光させることができる。このため本発明では、連通空間において媒体束により検知光が遮られた場合、受光部における該検知光の受光結果を基に検知できるので、シャッタが開放された状態のまま、該媒体束の存在により該シャッタを正常に閉塞できない恐れがあることを認識でき、これを作業員等に通知してこの状態を解消させることができる。
【発明の効果】
【００１２】
本発明によれば、本体部に対し着脱可能な媒体収納庫を簡素に構成しながら、該媒体収納庫から媒体が不正に取り出されることを未然に防止し得る媒体取引装置及び媒体収納庫を実現できる。
【図面の簡単な説明】
【００１３】
【図１】紙幣出金機の構成を示す略線図である。
【図２】リジェクトカセットの構成を示す略線図である。
【図３】リジェクトカセットにおける蓋体の開放を示す略線図である。
【図４】第１の実施の形態による束搬送部及びリジェクトカセットの構成を示す略線図である。
【図５】光学センサ及びプリズムの位置を示す略線図である。
【図６】リジェクトカセットにおける紙幣束の収納状態を示す略線図である。
【図７】第２の実施の形態による束搬送部及びリジェクトカセットの構成を示す略線図である。
【図８】第２の実施の形態による束搬送ガイドの構成を示す略線図である。
【図９】第２の実施の形態による紙幣束への力の作用を示す略線図である。
【発明を実施するための形態】
【００１４】
以下、発明を実施するための形態（以下実施の形態とする）について、図面を用いて説明する。
【００１５】
［１．第１の実施の形態］
［１−１．紙幣出金機の構成］
図１に模式的な側面図を示すように、第１の実施の形態による紙幣出金機１は、いわゆるキャッシュディスペンサとなっており、例えば金融機関や各種商業施設等に設置され、利用者（すなわち金融機関や商業施設の顧客等）の操作に応じて、媒体としての紙幣を出金するようになっている。この紙幣出金機１は、大きく分けて下側の収納ユニット２及び上側の束搬送ユニット３により構成されており、さらに全体を制御する制御部４が組み込まれている。
【００１６】
制御部４は、図示しないＣＰＵ（Central Processing Unit）を中心に構成されており、図示しないＲＯＭ（Read Only Memory）やフラッシュメモリ等から所定のプログラムを読み出して実行することにより、出金処理等の処理を行う。また制御部４は、内部にＲＡＭ（Random Access Memory）、ハードディスクドライブやフラッシュメモリ等でなる記憶部を有しており、この記憶部に種々の情報を記憶させる。
【００１７】
以下では、紙幣出金機１のうち顧客が対峙する側を前側とし、その反対を後側とし、当該前側に対峙した顧客から見て左及び右をそれぞれ左側及び右側とし、さらに上側及び下側を定義して説明する。
【００１８】
［１−１−１．収納ユニットの構成］
収納ユニット２は、直方体状の収納筐体１０内に、紙幣に関する種々の処理を行う複数の部分が組み込まれている。この収納筐体１０内には、４個の紙幣カセット１１、搬送部１３、鑑別部１４、切替部１５、集積部１６及びリジェクトカセット１７が設けられている。
【００１９】
紙幣カセット１１は、収納筐体１０の後側における上下方向の中央から下側にかけて、互いに積み重なるように取り付けられ、それぞれに対して予め定められた金種の紙幣を収納する。各紙幣は、長辺を左右方向に沿わせると共に短辺を上下方向に沿わせた姿勢で、前後方向に沿って集積された状態で収納されている。また紙幣カセット１１の前側下部には、収納されている紙幣を１枚ずつに分離して繰り出す繰出部が設けられている。
【００２０】
搬送部１３は、図示しないローラやベルト、或いはこれらを駆動するモータ等により、紙幣を搬送する経路である搬送路を構成している。この搬送路は、図中に実線で示すように、各紙幣カセット１１の繰出部と接続され、各紙幣カセット１１の前側を上下方向に沿って進行し、さらに最も上方に位置する紙幣カセット１１の上側における前後方向の中央付近まで到達するように配設されている。
【００２１】
鑑別部１４は、最も上側に位置する紙幣カセット１１の前側に、搬送部１３の搬送路に沿って設けられている。この鑑別部１４は、内部に厚みセンサ等のセンサが組み込まれており、このセンサから得られた情報を基に、搬送される紙幣の金種や走行状態等を鑑別し、その鑑別結果を制御部４へ供給する。制御部４は、得られた鑑別結果を基に、各紙幣の搬送先を決定する。具体的に制御部４は、出金すべき正常な紙幣の搬送先を集積部１６に、搬送不良等により出金すべきで無い紙幣（以下これをリジェクト紙幣と呼ぶ）の搬送先をリジェクトカセット１７に、それぞれ決定する。
【００２２】
切替部１５は、最も上側に位置する紙幣カセット１１の上側における前後方向のほぼ中央に配置されており、制御部４の制御に基づき、紙幣に当接して進行方向を変化させるブレード（図中三角形で示す）の傾斜角度を変更することにより、紙幣の搬送経路を切り替える。また切替部１５は、搬送部１３により、下側の鑑別部１４、前側の集積部１６及び後側のリジェクトカセット１７とそれぞれ接続されている。この切替部１５は、下方から搬送されてきた紙幣それぞれの進行方向を、制御部４において決定された搬送先に応じて切り替え、前側の集積部１６又は後側のリジェクトカセット１７へ進行させる。
【００２３】
集積部１６は、収納筐体１０内における最も上側の前側に位置しており、内部に紙幣を集積する集積空間１６Ｓを形成している。この集積部１６は、集積空間１６Ｓ内に、上面に紙幣を集積するためのステージ１６Ｔを有している。
【００２４】
また集積部１６における後側上寄りには、切替部１５から搬送されてきた紙幣を集積空間１６Ｓ内へ放出する放出部が設けられている。集積部１６は、切替部１５から搬送されてきた紙幣を放出部により集積空間１６Ｓ内へ放出し、ステージ１６Ｔ上に束状に集積させていく。このため以下では、このように積み重ねられた紙幣を紙幣束Ｗとも呼ぶ。因みに紙幣束Ｗは、紙帯等により施封されたものでは無く、単純に積み重ねられている。
【００２５】
さらにステージ１６Ｔは、図示しないステージ移動機構により、上下方向へ移動することができる。また集積部１６の上面には、集積空間１６Ｓに相当する範囲に渡り、上下方向に貫通する集積孔１６Ｈが穿設されている。この集積孔１６Ｈは、収納筐体１０の上面も貫通しており、集積空間１６Ｓと収納筐体１０よりも上側の空間とを連通させている。このため集積部１６は、ステージ１６Ｔに紙幣を集積した状態で当該ステージ１６Ｔを上方へ移動させることにより、当該ステージ１６Ｔ及び集積した束状の紙幣（紙幣束Ｗ）を収納筐体１０の上面よりも上側、すなわち束搬送ユニット３の内部まで持ち上げることができる。
【００２６】
媒体収納庫としてのリジェクトカセット１７は、収納筐体１０内における最も上側の後側に位置しており、内部に紙幣及び紙幣束Ｗを収納する空間を有している。リジェクトカセット１７は、前面のやや下寄りに、紙幣を１枚ずつ通過させる通過孔１７Ｕが設けられており、また上面に取込孔１７Ｈが形成されている。このためリジェクトカセット１７は、切替部１５から搬送され通過孔１７Ｕを通過した紙幣（すなわちリジェクト紙幣）を内部に収納することができる。またリジェクトカセット１７は、上方に位置する束搬送ユニット３から紙幣束Ｗが落下してきた場合、この紙幣束Ｗを取込孔１７Ｈから取り込んで内部に収納することができる（詳しくは後述する）。
【００２７】
さらに紙幣カセット１１及びリジェクトカセット１７は、収納筐体１０に対し後方向へ引き抜かれることにより、当該収納筐体１０から取り外すことができ、また当該収納筐体１０に対し位置を合わせて前方向へ押し込まれることにより、当該収納筐体１０に装着することができる。
【００２８】
［１−１−２．束搬送ユニットの構成］
束搬送部としての束搬送ユニット３は、全体として、上下方向に短く前後方向に長い、扁平な直方体状に形成されており、その前後方向の長さが収納ユニット２よりも長くなっている。束搬送ユニット３は、直方体状の束搬送筐体２０内に組み込まれた種々の部材により、紙幣束Ｗを搬送するときに当該紙幣束Ｗが通過する経路である束搬送路３Ｙを形成している。また束搬送筐体２０の前端、すなわち束搬送路３Ｙの前端には、紙幣束Ｗを利用者に引き渡す引渡口としての出金口２６が形成されている。
【００２９】
因みに束搬送路３Ｙにおける複数の箇所、例えば出金口２６の近傍等には、それぞれ紙幣束Ｗを検知するためのセンサが設けられている。このセンサは、所定の検知光を発光する発光素子及びこの検知光を受光する受光素子を組み合わせた光学センサとなっており、当該検知光の光路を束搬送路３Ｙと交差させており、当該検知光の受光結果を制御部４に通知する。制御部４は、この受光結果を基に、束搬送路３Ｙ上における各箇所にそれぞれ紙幣束Ｗがあるか否かを判断することができる。
【００３０】
束搬送筐体２０内における上側部分には、上搬送ベルト２１が設けられている。上搬送ベルト２１は、後端近傍及び前端近傍にそれぞれ配置されたローラの周囲に掛け回されており、制御部４の制御に基づき所定のモータ（図示せず）によってローラが回転されると、その下面を前後方向に沿って走行させる。説明の都合上、以下では、上搬送ベルト２１における下面部分の走行方向を、当該上搬送ベルト２１の走行方向と見なす。
【００３１】
束搬送筐体２０内における上搬送ベルト２１の下側部分、すなわち束搬送路３Ｙを挟んで上搬送ベルト２１の反対側には、束搬送ガイド２２及び下搬送ベルト２３が設けられている。束搬送ガイド２２は、上下方向に薄い板状に形成されており、その上面を上搬送ベルト２１の下面と対向ないし当接させている。また束搬送ガイド２２は、収納ユニット２における収納筐体１０の上面に対し、図示しない移動機構を介して、前後方向へ移動可能に取り付けられている。この束搬送ガイド２２は、後方へ移動した場合、集積孔１６Ｈを開放して集積部１６内の空間と束搬送路３Ｙとを連通させる。また束搬送ガイド２２は、前方へ移動した場合、取込孔１７Ｈを開放しリジェクトカセット１７内の空間と束搬送路３Ｙとを連通させる。
【００３２】
下搬送ベルト２３は、上搬送ベルト２１を前後方向に短縮したような構成となっている。この下搬送ベルト２３における上面部分は、束搬送ガイド２２の上面と同等に揃えられ、上搬送ベルト２１の下面と対向ないし当接している。また下搬送ベルト２３の上面は、上搬送ベルト２１の下面と同様、前後方向に走行する。説明の都合上、以下では、下搬送ベルト２３における上面部分の走行方向を、当該下搬送ベルト２３の走行方向と見なす。
【００３３】
また集積部１６のステージ１６Ｔは、束搬送ガイド２２が前方へ移動された状態（図１）において、上方へ移動されることにより、その上面の高さを、束搬送ガイド２２とほぼ同等に揃える。このときステージ１６Ｔは、束搬送路３Ｙの一部を形成することになる。
【００３４】
束搬送ガイド２２の後側には、後部ガイド２４が設けられている。後部ガイド２４の前側面２４Ｆは、上側よりも下側が後側に位置する傾斜面となっており、且つその下端が取込孔１７Ｈの後端近傍に位置している。また束搬送ユニット３では、束搬送ガイド２２が前方へ移動された場合（図１）、束搬送路３Ｙの後下側であると共に前側面２４Ｆの前側であり、さらに取込孔１７Ｈの上側となる箇所に、搬送路後下空間２８が形成される。
【００３５】
ラッセル部２５は、束搬送ガイド２２、下搬送ベルト２３及びステージ１６Ｔの上面に沿って、紙幣束Ｗを押すことにより前後方向へ移動させる。これにより紙幣束Ｗは、各紙幣の短辺を前後方向に沿わせた姿勢で、束搬送路３Ｙに沿って搬送方向である前後方向へ進行することができる。
【００３６】
［１−２．リジェクトカセットの構成］
次に、リジェクトカセット１７の構成について説明する。図２に示すように、リジェクトカセット１７は、下側部分を占める収納体３１と、上側部分を占める蓋体３２とが回動部３３を介して接続された構成となっている。
【００３７】
収納体３１及び蓋体３２は、何れも直方体状に形成されており、前後方向及び左右方向の長さを互いに一致させている。回動部３３は、中心軸を左右方向に向けた回動機構となっており、収納体３１における前面の上端近傍及び蓋体３２における前面の下端近傍にそれぞれ取り付けられている。この回動部３３は、収納体３１に対し蓋体３２を図の時計回りとなる矢印Ｒ１方向又はその反対の矢印Ｒ２方向へ回動させることができる。
【００３８】
すなわちリジェクトカセット１７は、図２に示すように収納体３１の真上に蓋体３２を重ねた状態（以下これを閉塞状態と呼ぶ）から収納体３１を矢印Ｒ１方向へ回動させることにより、図３に示すように収納体３１の前上方に蓋体３２を位置させた状態（以下これを開放状態と呼ぶ）に遷移することができる。またリジェクトカセット１７は、開放状態（図３）から蓋体３２が矢印Ｒ２方向へ回動されることにより、当該蓋体３２を収納体３１の真上に重ねた閉塞状態（図２）に戻ることができる。このとき蓋体３２は、収納体３１の内部を外部から遮断することになる。
【００３９】
また収納体３１の後面には、鍵Ｋ１により施錠又は解錠される錠３４が設けられている。この錠３４は、蓋体３２が閉塞状態であるときに施錠されると、この閉塞状態を維持して開放状態への遷移を禁止する。また錠３４は、鍵Ｋ１により解錠されると、蓋体３２の開放状態への遷移を許容する。
【００４０】
収納体３１は、中空の直方体状に形成されると共に、その上側に内部の内部空間と外部とを連通させる連通孔３１Ｈ（図４）が形成されている。収納体３１の内部空間は、前後方向のほぼ中央に位置する板状の仕切板３５により、前側の第１収納部３６と、後側の第２収納部３７とに区切られている。この第１収納部３６及び第２収納部３７は、何れも内部に紙幣を収納する第１収納空間３６Ｓ及び第２収納空間３７Ｓが形成されており、またその上側が開放されている。このためリジェクトカセット１７は、開放状態（図３）にされると、第１収納部３６Ｓ及び第２収納空間３７Ｓを水平に並べた状態で、同時に開放できるので、それぞれの内部にアクセスさせることができる。
【００４１】
収納体３１の前面には、上述したように切替部１５（図１）から搬送されてくる紙幣を通過させるための通過孔１７Ｕ及び放出部３８が設けられている。この放出部３８は、複数のローラ等により構成されており、通過孔１７Ｕを介して搬送されてきた紙幣を後方の第１収納空間３６Ｓ内へ放出する。因みに放出部３８は、収納筐体１０側に設けられたモータ（図示せず）から所定のギア（図示せず）等を介して駆動力が伝達されるようになっている。このためリジェクトカセット１７には、モータ等の電気部品が設けられていない。
【００４２】
蓋体３２は、全体的として周囲が閉塞された直方体状に形成されており、その上面における中央よりも前側に、取込孔１７Ｈが形成されている。また蓋体３２の内部には、この取込孔１７Ｈと、閉塞状態（図２）であるときに該取込孔１７Ｈの後下方に位置する第２収納空間３７Ｓとを結ぶ内側面として、前側の第１ガイド面４１及び後側の第２ガイド面４２が設けられている。
【００４３】
第１ガイド面４１は、蓋体の上面に対して後側を下降させるよう傾斜された平面、すなわち水平方向及び鉛直方向のいずれに対しても傾斜された平面であり、閉塞状態（図２）において、その下端が仕切板３５の後面とほぼ同等となっている。因みに第１ガイド面４１の傾斜角度は、束搬送ユニット３（図１）の後部ガイド２４における前側面２４Ｆの傾斜角度とほぼ同等となっている。
【００４４】
第２ガイド面４２は、第１ガイド面４１と同等の傾斜角度で傾斜された平面となっている。また第１ガイド面４１及び後側の第２ガイド面４２の間には、取込孔１７Ｈの上側、すなわちリジェクトカセット１７の外側と、第２収納空間３７Ｓの内部とを連通させる連通空間４３が形成されている。またリジェクトカセット１７では、第１ガイド面４１及び第２ガイド面４２を、それぞれ連通空間４３の下側面及び上側面とみなすこともできる。
【００４５】
これを他の観点から見ると、リジェクトカセット１７は、第１収納空間３６Ｓ及び第２収納空間３７Ｓを水平に並べたことにより、両者に容易にアクセスさせることができる。その一方でリジェクトカセット１７は、束搬送ユニット３における搬送路後下空間２８との関係で、取込孔１７Ｈが第１収納部３６Ｓのほぼ真上に位置している。このためリジェクトカセット１７は、連通空間４３や第１ガイド面４１等を水平方向及び鉛直方向に対して傾斜された状態とし、紙幣束Ｗを後ろ斜め下方へ落下させるようにしている。
【００４６】
さらに蓋体３２の上面近傍には、シャッタ４５が設けられている。シャッタ４５は、上下方向に薄い板状に形成されており、前後方向及び左右方向の長さが取込孔１７Ｈよりもそれぞれ大きくなっている。このシャッタ４５は、前後方向へ移動可能に構成されている。すなわちシャッタ４５は、前方へ移動された場合には、図２に実線で示したように、連通空間４３の上端近傍である取込孔１７Ｈを閉塞し、後方へ移動された場合には、図１に示すと共に図２に破線で示したように、この取込孔１７Ｈを開放する。
【００４７】
またシャッタ４５は、収納ユニット２の収納筐体１０に対するリジェクトカセット１７の着脱と連動して開閉するようになっている。すなわちシャッタ４５は、収納筐体１０（図１）にリジェクトカセット１７が装着されるときに、後方へ移動されて取込孔１７Ｈを開放する。またシャッタ４５は、収納筐体１０からリジェクトカセット１７が取り外されるときに、前方へ移動されて取込孔１７Ｈを閉塞する。
【００４８】
また蓋体３２には、収納ユニット２の収納筐体１０に対するリジェクトカセット１７の着脱と連動してシャッタ４５をロックし、或いはそのロックを解除するロック機構（図示せず）が組み込まれている。このロック機構は、リジェクトカセット１７が収納筐体１０から取り外されてシャッタ４５が前方へ移動されて取込孔１７Ｈを閉塞すると、該シャッタ４５の位置をロックする。またこのロック機構は、リジェクトカセット１７が収納筐体１０に装着されるときに、このロックを解除してシャッタ４５を移動させ得るようにする。
【００４９】
このためリジェクトカセット１７は、収納筐体１０から取り外されてシャッタ４５により取込孔１７Ｈを閉塞している状態であれば、ロック機構により該シャッタ４５をロックしているため、手作業により該シャッタ４５を後方へ移動すること、すなわち取込孔１７Ｈを開放することが極めて困難となる。
【００５０】
［１−３．出金動作及び取込動作］
紙幣出金機１（図１）は、図示しない操作部により利用者から出金の指示及び出金額を受け付けると、出金動作を開始する。具体的に紙幣出金機１の制御部４は、紙幣カセット１１から出金額に応じた金種及び枚数の紙幣を順次繰り出させ、当該紙幣の短辺に沿った方向を進行方向として搬送部１３により上方へ搬送し、鑑別部１４により鑑別させる。このとき制御部４は、鑑別部１４から得られる鑑別結果を基に、紙幣が出金可能であるか否かに応じて、その搬送先を集積部１６又はリジェクトカセット１７に決定する。
【００５１】
続いて制御部４は、鑑別部１４により鑑別された紙幣を、搬送部１３により後方及び上方へ搬送して切替部１５に到達させる。切替部１５は、制御部４の制御に基づき、紙幣それぞれについて決定された搬送先に応じて進行方向を切り替え、集積部１６又はリジェクトカセット１７へ進行させる。リジェクトカセット１７（図２）は、切替部１５（図１）から搬送されてきた紙幣（すなわちリジェクト紙幣）を通過孔１７Ｕから内部に取り込み、放出部３８により第１収納空間３６Ｓ内へ放出して集積させる。
【００５２】
集積部１６は、搬送されてきた紙幣を放出部により集積空間１６Ｓ内へ放出し、ステージ１６Ｔ上に集積させる。制御部４は、搬送先を集積部１６とした紙幣、すなわち集積部１６に集積した紙幣の金種及び枚数を逐次集計しており、集計した金額が出金額に到達した段階で、紙幣カセット１１からの紙幣の繰出を中止する。この結果、集積部１６のステージ１６Ｔ上には、出金額の紙幣が束状に集積された紙幣束Ｗが載置される。
【００５３】
次に制御部４は、束搬送ガイド２２を後方へ移動させることにより集積部１６の集積孔１６Ｈを開放すると共に取込孔１７Ｈを閉塞してから、ステージ１６Ｔを上方へ移動させることにより、紙幣束Ｗを持ち上げて束搬送路３Ｙ内に位置させる。さらに制御部４は、上搬送ベルト２１を前方へ走行させると共にラッセル部２５を前方へ移動させることにより、紙幣束Ｗを束搬送路３Ｙに沿って前方へ進行させていく。このとき制御部４は、紙幣束Ｗが下搬送ベルト２３の上面に当接する位置に到達すると、上搬送ベルト２１及び当該下搬送ベルト２３により当該紙幣束Ｗを上下から挟持し、両ベルトの走行により前方へ搬送させる。
【００５４】
やがて制御部４は、図示しないセンサからの通知を基に紙幣束Ｗが出金口２６に到達したことを検知すると、上搬送ベルト２１及び下搬送ベルト２３の走行を停止させる。さらに制御部４は、ラッセル部２５を束搬送路３Ｙの前端近傍へ到達させることにより、退避機構（図示せず）によって束搬送路３Ｙの上方に退避させる。
【００５５】
このように制御部４は、出金口２６から紙幣束Ｗの一部を露出させ、且つ上搬送ベルト２１及び下搬送ベルト２３により当該紙幣束Ｗの後端近傍を挟持した状態として、出金動作を終了する。これにより紙幣出金機１は、利用者にこの紙幣束Ｗを取り出させることができる。
【００５６】
ここで制御部４は、センサ（図示せず）からの通知を基に、出金口２６から紙幣束Ｗが取り出されたか否かを監視している。そこで所定の待機時間（例えば３０秒間）が経過しても紙幣束Ｗが取り出されなかった場合、制御部４は、紙幣束Ｗの取り忘れが発生したものと見なし、この紙幣束Ｗを取り込む取込動作を開始する。以下、このように利用者が取り忘れた紙幣を取忘紙幣若しくはリトラクト紙幣とも呼ぶ。
【００５７】
具体的に制御部４は、ラッセル部２５を上方へ退避させた状態のまま上搬送ベルト２１及び下搬送ベルト２３を後方へ走行させることにより、紙幣束Ｗを束搬送路３Ｙ内に取り込み、当該束搬送路３Ｙに沿って後方へ進行させていく。このとき制御部４は、図示しないセンサにより紙幣束Ｗがラッセル部２５よりも後方に到達したことを検知すると、当該ラッセル部２５を後方へ移動させ紙幣束Ｗの前側で束搬送路３Ｙ内へ復帰させてから、さらに後方へ移動させることにより、紙幣束Ｗの後方への搬送を補助する。
【００５８】
やがて制御部４は、紙幣束Ｗが取込孔１７Ｈの上方に到達すると、この紙幣束Ｗを束搬送路３Ｙから落下させる。このとき紙幣束Ｗは、後部ガイド２４の前側面２４Ｆにより後下方向へ案内されながら、搬送路後下空間２８内を後下方向へ下降し、やがて取込孔１７Ｈからリジェクトカセット１７内へ入り込む。リジェクトカセット１７内において紙幣束Ｗは、その下面を第１ガイド面４１に当接させて摺動しながら、連通空間４３内を後下方へ下降し、やがて第２収納空間３７Ｓに到達して収納される。
【００５９】
なお説明の都合上、以下では、互いに連通されている搬送路後下空間２８内及び連通空間４３内において、紙幣束Ｗが進行する方向である後下方向を下流側とも呼び、その反対側である前上側を上流側とも呼ぶ。
【００６０】
このようにリジェクトカセット１７は、利用者が取り忘れた紙幣束Ｗ（すなわち取忘紙幣の束）を取込孔１７Ｈから取り込み、連通空間４３内を第１ガイド面４１に沿って下降させ、第２収納空間３７Ｓに到達させて収納する。
【００６１】
［１−４．紙幣束検知部の構成］
かかる構成に加えて紙幣出金機１には、図４に示すように、束搬送ユニット３及びリジェクトカセット１７の境界部分にまたがるような位置に、紙幣束Ｗの有無を検知する紙幣束検知部６０が設けられている。この紙幣束検知部６０は、いわゆる光学センサであり、所定の検知光を用い、該光軸上における対象物（例えば紙幣束Ｗ）の有無等を検知し得るようになっている。
【００６２】
［１−４−１．各部の構成及び基本動作］
紙幣束検知部６０は、束搬送ユニット３側に設けられた発光部６１及び受光部６２と、リジェクトカセット１７側に設けられたプリズム６３とにより構成されている。発光部６１は、束搬送ユニット３の後部ガイド２４における前側面２４Ｆの後上側において、左右方向の中央よりも左側に取り付けられている。また発光部６１は、制御部４（図１）や図示しない電源回路等と電気的に接続されており、前側面２４Ｆの法線方向である前下方向へ向けて検知光Ｌ（以下これを第１検知光Ｌ１とも呼ぶ）を出射する。因みに前側面２４Ｆには、該第１検知光Ｌ１を通過させるための貫通孔（図示せず）が形成されている。
【００６３】
第１検知光Ｌ１は、前側面２４Ｆに形成された貫通孔（図示せず）を介して、束搬送ユニット３内における前側面２４Ｆよりも前側の空間である搬送路後下空間２８内を進行した後、やがて取込孔１７Ｈを通過し、リジェクトカセット１７側の連通空間４３内を進行した後、第１ガイド面４１に到達する。第１ガイド面４１には、前側面２４Ｆと同様、第１検知光Ｌ１を通過させるための貫通孔（図示せず）が形成されており、この検知光Ｌを前下側へ進行させる。
【００６４】
第１ガイド面４１の前下側であって、第１検知光Ｌ１が進行してくる箇所、すなわち発光部６１に対し前側面２４Ｆの法線方向側となる箇所には、プリズム６３が取り付けられている。プリズム６３は、左右方向に十分な長さを有すると共に、光を反射する反射面が複数形成されている。このためプリズム６３は、前下方向へ向けて進行してきた検知光Ｌ（第１検知光Ｌ１）の進行方向を右方向に変化させ、所定距離だけ進行させた後、さらにその進行方向を後上方向に変化させる。以下、後上方向に向かう検知光Ｌを第２検知光Ｌ２と呼ぶ。
【００６５】
因みにプリズム６３は、第１検知光Ｌ１の光軸Ｘ１に対し、連通空間４３内におけるほぼ左右対称となる箇所に第２検知光Ｌ２の光軸Ｘ２を位置させるよう、各反射面の位置や角度等が調整されている。また第１ガイド面４１には、第１検知光Ｌ１に対応する箇所と同様、第２検知光Ｌ２に対応する箇所にも、該第２検知光Ｌ２を通過させるための貫通孔（図示せず）が形成されている。
【００６６】
第２検知光Ｌ２は、第１ガイド面４１の貫通孔を通過した後、連通空間４３内を進行して取込孔１７Ｈを通過し、束搬送ユニット３側の搬送路後下空間２８内を進行した後、前側面２４Ｆに形成された貫通孔（図示せず）を通過して、該前側面２４Ｆの後上側に到達する。
【００６７】
前側面２４Ｆの後上側において第２検知光Ｌ２が到達する箇所、すなわち発光部６１の右側であって、該発光部６１とほぼ左右対称となる箇所には、受光部６２が取り付けられている。受光部６２は、発光部６１と同様、制御部４（図１）や図示しない電源回路等と電気的に接続されており、第２検知光Ｌ２を受光すると、その受光量（すなわち光強度）に応じた信号レベル（すなわち電圧）の受光信号を生成し、これを制御部４へ供給する。
【００６８】
制御部４は、この受光信号の信号レベルを基に、検知光Ｌが受光部６２に到達したか否かを認識した上で、紙幣束検知部６０による紙幣束Ｗの検知結果を判断する。具体的に制御部４は、検知光Ｌが受光部６２に到達した場合、第１検知光Ｌ１及び第２検知光Ｌ２の何れもが紙幣束Ｗにより遮られていないため、紙幣束検知部６０において該紙幣束Ｗを検知しなかったものと判断する。また制御部４は、検知光Ｌが受光部６２に到達しなかった場合、第１検知光Ｌ１及び第２検知光Ｌ２の少なくとも一方が紙幣束Ｗにより遮られているため、紙幣束検知部６０において該紙幣束Ｗを検知したものと判断する。
【００６９】
［１−４−２．各部の詳細な配置］
次に、紙幣出金機１における発光部６１及び受光部６２並びにプリズム６３の詳細な配置について、図５（Ａ）を参照しながら詳細に説明する。
【００７０】
紙幣出金機１のリジェクトカセット１７では、シャッタ４５を正常に閉塞させた場合、図中に破線で示すように、その前端を第１ガイド面４１に当接若しくは極めて近接させる。これによりリジェクトカセット１７は、該シャッタ４５と第１ガイド面４１との間に殆ど隙間を形成せず、第２収納空間３７Ｓ内から外部へ紙幣を抜き出すことを防止できる。
【００７１】
ここで、第１ガイド面４１の上端近傍であって、閉塞されたシャッタ４５（図中細い破線で示す）と交差する位置を点Ｐ１と定義する。また、紙幣出金機１において取り扱われる紙幣のうち、短辺方向の長さが最も短い紙幣（以下これを最短紙幣と呼ぶ）が束状に集積されてなる紙幣束Ｗを、最短紙幣束ＷＳとする。また以下では、最短紙幣束ＷＳを最短媒体束とも呼ぶ。
【００７２】
そのうえで、リジェクトカセット１７において、この最短紙幣束ＷＳが他の紙幣束ＷＡに乗り上げる等して、その紙面を第１ガイド面４１と当接させ、且つその上端を点Ｐ１に位置させている状態を想定する。さらに、このとき最短紙幣束ＷＳの下端が位置する箇所を、点Ｐ２と定義する。点Ｐ１及び点Ｐ２の間の距離である長さＤＰは、最短紙幣における短辺の長さと同等である。
【００７３】
リジェクトカセット１７は、仮にこの状態でシャッタ４５を閉塞した場合、該シャッタ４５の前端と第１ガイド面４１との間に最短紙幣束ＷＳを挟み込むため、該シャッタ４５を正しく閉塞できず、この最短紙幣束ＷＳや第２収納空間３７Ｓ内の他の紙幣が外部へ抜き取られる可能性がある。これを換言すれば、このときの最短紙幣束ＷＳは、シャッタ４５による取込孔１７Ｈの閉塞を阻害する位置にある。
【００７４】
次に、図中に太い破線で示すように、最短紙幣束ＷＳが下端を点Ｐ２に位置させる一方で、上端を第１ガイド面４１上の点Ｐ１から後上方へ離れた箇所に位置させている場合、すなわち紙面をほぼ前後方向へ向けて「立っている」場合を想定する。この最短紙幣束ＷＳは、その上端が束搬送ユニット３側の搬送路後下空間２８内に位置しており、またシャッタ４５が開閉時に通過する軌跡（すなわち図中の細い破線）と交差している。
【００７５】
このため最短紙幣束ＷＳは、シャッタ４５が閉塞されるべく前方へ移動する場合、このシャッタ４５から前方へ向かう力を受け、点Ｐ２を支点として回動するように前方へ倒れる。この結果、最短紙幣束ＷＳは、実線で示したように、その上端を点Ｐ１に位置させた状態となり、前述した場合と同様、該シャッタ４５の前端と第１ガイド面４１との間に挟まれる。
【００７６】
このように紙幣出金機１では、最短紙幣束ＷＳの下端が点Ｐ２に位置している場合、その紙面が第１ガイド面４１に当接した姿勢及び立った姿勢の何れであっても、シャッタ４５を正常に閉塞できなくなる。そこで紙幣出金機１では、点Ｐ２を中心として長さＤＰを半径とする仮想的な円弧である最短円弧ＣＳを規定する。また紙幣出金機１では、この最短円弧ＣＳが後部ガイド２４の前側面２４Ｆと交差する箇所を点Ｑ１と定義し、さらに前側面２４Ｆの下端を点Ｑ２と定義する。
【００７７】
そうすると紙幣出金機１では、仮に最短紙幣束ＷＳの上端がこの最短円弧ＣＳよりも下流側（すなわち後下側であり、図中に斜線で示した部分）に位置している場合、シャッタ４５を正常に閉塞できることになる。また紙幣出金機１では、仮に最短紙幣束ＷＳの上端が最短円弧ＣＳよりも上流側（すなわち前上側）に位置している場合、シャッタ４５を正常に閉塞できず、該最短紙幣束ＷＳを第１ガイド面４１との間に挟み込むことになる。
【００７８】
このことから紙幣出金機１では、最短紙幣束ＷＳの上端が最短円弧ＣＳよりも上側（すなわち斜線の部分）に位置していることを検知できれば、シャッタ４５を実際に閉塞する前の段階で、該シャッタ４５を正常に閉塞し得ないことを事前に認識できることになる。
【００７９】
ここで紙幣出金機１では、仮に最短円弧ＣＳよりも下側に直線状の光軸が位置するように光学センサを配置した場合、最短紙幣束ＷＳの上端が最短円弧ＣＳよりも上側に位置していれば、該最短紙幣束ＷＳが光軸と交差して検知光を遮光することになる。このため紙幣出金機１では、この光学センサにおいて最短紙幣束ＷＳにより検知光が遮光された場合、該最短紙幣束ＷＳの上端が、少なくともこの光学センサの光軸よりも上側に位置していることになり、さらには最短円弧ＣＳよりも上側に位置している可能性が高くなる。
【００８０】
すなわち紙幣出金機１では、最短紙幣束ＷＳについて、最短円弧ＣＳよりも下側に光軸が位置するように光学センサを配置すれば、該最短紙幣束ＷＳによりシャッタ４５を正常に閉塞し得ない可能性があることを、漏れなく検知できる。
【００８１】
次に、紙幣出金機１において取り扱われる紙幣のうち、短辺方向の長さが最も長い紙幣（以下これを最長紙幣と呼ぶ）が束状に集積されてなる紙幣束Ｗを、最長紙幣束ＷＬとする。その上で、図５（Ｂ）に示すように、紙幣出金機１において最長紙幣束ＷＬの上端が点Ｐ１に位置する場合を想定し、このとき該最長紙幣束ＷＬの下端が位置する箇所を点Ｐ２Ｌと定義する。この点Ｐ２Ｌは、点Ｐ２よりも下流側に位置することになる。また以下では、点Ｐ１から点Ｐ２Ｌまでの長さ、すなわち最長紙幣における短辺の長さを長さＤＰＬとする。
【００８２】
その上で、最短紙幣束ＷＳの場合と同様、最長紙幣束ＷＬについても、その下端が位置する点Ｐ２Ｌを中心として長さＤＰＬを半径とする仮想的な円弧である最長円弧ＣＬを規定する。そうすると紙幣出金機１では、最短紙幣束ＷＳの場合と同様、最長紙幣束ＷＬの上端が最長円弧ＣＬの上側に位置する場合に、該最長紙幣束ＷＬがシャッタ４５及び第１ガイド面４１に挟まれることになる。
【００８３】
この最長円弧ＣＬは、幾何学的な関係により、最短円弧ＣＳよりも上流側に位置しており、また点Ｑ１よりも上流側に位置する点Ｑ１Ｌにおいて後部ガイド２４の前側面２４Ｆと交差する。このため紙幣出金機１では、光学センサの光軸が最短円弧ＣＳよりも下側に位置していれば、この光軸が最長円弧ＣＬよりも下側に位置していることにもなる。
【００８４】
従って紙幣出金機１では、紙幣束Ｗを構成する紙幣の長短に拘わらず、上端が最短円弧ＣＳよりも上側に位置している紙幣束Ｗを検知することにより、シャッタ４５を閉塞した場合に該紙幣束Ｗを第１ガイド面４１との間に挟む可能性があることを、確実に検知することができる。
【００８５】
そこで紙幣出金機１では、上述した紙幣束検知部６０において、第１検知光Ｌ１の光軸Ｘ１及び第２検知光Ｌ２の光軸Ｘ２のうち搬送路後下空間２８及び連通空間４３の内側にある部分の全範囲を、何れも最短円弧ＣＳよりも下流側に位置させるよう、発光部６１、受光部６２及びプリズム６３をそれぞれ配置した。
【００８６】
具体的に紙幣出金機１では、光軸Ｘ１及びＸ２のうち第１ガイド面４１と交差する点（以下これを交点ＸＰと呼ぶ）を点Ｐ１及び点Ｐ２の間に位置させるようにした。これと共に紙幣出金機１では、光軸Ｘ１及びＸ２のうち後部ガイド２４の前側面２４Ｆと交差する点（以下これを交点ＸＱと呼ぶ）を点Ｑ１及び点Ｑ２の間に位置させるようにした。さらに紙幣出金機１では、光軸Ｘ１及びＸ２を第１ガイド面４１の法線とほぼ平行とした。
【００８７】
これにより紙幣出金機１では、紙幣の長短に拘わらず、シャッタ４５を閉塞した場合に紙幣束Ｗを第１ガイド面４１との間に挟んでしまう状態であることを、確実に検知することができる。説明の都合上、以下では、このように紙幣束Ｗの一部が光軸Ｘ１及びＸ２の少なくとも一方を横切っており、シャッタ４５を閉塞した場合に第１ガイド面４１との間に該紙幣束Ｗを挟む可能性がある状態を、閉塞異常予備状態と呼ぶ。
【００８８】
因みに紙幣出金機１では、シャッタ４５を閉塞した場合に第１ガイド面４１との間に挟まない紙幣束Ｗ、すなわち何ら問題がない紙幣束Ｗも検知してしまう可能性がある。しかしながら紙幣出金機１では、閉塞異常予備状態の紙幣束Ｗについては、確実に検知することができる。すなわち紙幣出金機１では、閉塞異常予備状態を検知し損なうこと、いわゆる検知漏れを排除する観点から、シャッタ４５を閉塞できる場合も検知してしまうこと、すなわち過剰に検知することを許容している。
【００８９】
［１−５．効果等］
以上の構成において、第１の実施の形態による紙幣出金機１では、リジェクトカセット１７の連通空間４３及び束搬送ユニット３の搬送路後下空間２８の接続部分に紙幣束検知部６０を設けた（図４及び図５）。特に紙幣出金機１では、紙幣束検知部６０における第１検知光Ｌ１の光軸Ｘ１及び第２検知光Ｌ２の光軸Ｘ２を最短円弧ＣＳよりも下流側に位置させるように、発光部６１、受光部６２及びプリズム６３をそれぞれ配置した（図５）。
【００９０】
このため紙幣束検知部６０は、例えば図６に示すように、紙幣束Ｗを構成する紙幣における短辺の長短や該紙幣束Ｗの姿勢に拘わらず、閉塞異常予備状態の紙幣束Ｗ、すなわちシャッタ４５を閉塞した場合に第１ガイド面４１との間に挟まれる可能性がある紙幣束Ｗを、漏れなく検知できる。これにより制御部４（図１）は、この紙幣束検知部６０により紙幣束Ｗを検知した場合に、例えばこのことを金融機関の職員等に通知して保守作業の実施を促すことにより、閉塞異常予備状態として検知された紙幣束Ｗの除去や第２収納空間内への収納を行わせることができる。
【００９１】
この結果、紙幣出金機１では、リジェクトカセット１７が収納筐体１０から取り外される際に、シャッタ４５が完全に閉塞されず第１ガイド面４１との間に紙幣束Ｗを挟んだ状態となり、悪意ある者によりこの紙幣束Ｗや第２収納空間内の紙幣が抜き取られることを、未然に回避することができる。また紙幣出金機１では、シャッタ４５を完全に閉塞できない状態のまま、収納筐体１０からリジェクトカセット１７が強引に取り外されることによる各部の破損や、該シャッタ４５及び第１ガイド面４１との間に挟まった紙幣束Ｗが他の部品等に引っ掛かり損傷すること等も未然に防止できる。
【００９２】
また紙幣出金機１では、紙幣束検知部６０を構成する部品のうち、電気部品である発光部６１及び受光部６２を束搬送ユニット３の後部ガイド２４に取り付けると共に、通電や通信が不要な光学部品であるプリズム６３をリジェクトカセット１７の第１ガイド面４１に取り付けた（図４）。
【００９３】
このため紙幣出金機１では、収納筐体１０（図１）から取り外された後に運搬され、衝撃が加えられる恐れがあるリジェクトカセット１７側に電子部品を設ける必要が無く、また該収納筐体１０及び該リジェクトカセット１７の間で電気的な接続及び切断を実現するためのコネクタ等を設ける必要も無い。この結果、紙幣出金機１では、リジェクトカセット１７の構成を簡素化でき、その小型化や軽量化にも寄与できるので、運搬作業や着脱作業における作業者等の負担を極力小さく抑えることができ、さらには該リジェクトカセット１７のコスト削減に繋げることもできる。
【００９４】
以上の構成によれば、第１の実施の形態による紙幣出金機１では、束搬送ユニット３の後部ガイド２４に取り付けた発光部６１及び受光部６２と、リジェクトカセット１７の第１ガイド面４１に取り付けたプリズム６３とにより紙幣束検知部６０を構成し、その光軸Ｘ１及びＸ２を仮想的な最短円弧ＣＳよりも下流側に位置させるようにした（図５）。これにより紙幣出金機１では、着脱されるリジェクトカセット１７を簡素な構成としながら、閉塞異常予備状態の紙幣束Ｗ、すなわちシャッタ４５の閉塞時に第１ガイド面４１との間に挟まれる恐れがある紙幣束Ｗの存在を確実に検知でき、保守作業の実施を促すことができる。
【００９５】
［２．第２の実施の形態］
第２の実施の形態による紙幣出金機１０１（図１）は、第１の実施の形態による紙幣出金機１と比較して、束搬送ユニット３及び制御部４に代わる束搬送ユニット１０３及び制御部１０４を有する点において相違するものの、他の点については同様に構成されている。
【００９６】
図４と対応する図７に示すように、束搬送ユニット１０３は、第１の実施の形態による束搬送ユニット３と比較して、束搬送ガイド２２に代わる束搬送ガイド１２２を有する点において相違するものの、他の点については同様に構成されている。束搬送ガイド１２２は、図８に示すように、本体部１７１の下面における後寄りの部分に、下方へ向けて突出した複数の突出部１７２が離散的に設けられている。突出体としての突出部１７２は、左右方向から見て直角三角形状に形成されており、前側がほぼ鉛直である一方、後側が傾斜されている。
【００９７】
制御部１０４は、第１の実施の形態による制御部４と同様、図示しないＣＰＵを中心に構成されており、図示しないＲＯＭやフラッシュメモリ等から所定のプログラムを読み出して実行することにより、出金処理等の処理を行う。ただしこの制御部１０４では、紙幣束検知部６０により紙幣束Ｗの存在を検知した場合の処理が、制御部４と一部相違している。
【００９８】
具体的に制御部１０４は、紙幣束検知部６０により閉塞異常予備状態の紙幣束Ｗを検知した場合、図９に示すように、束搬送ガイド１２２を後側へ移動させた後、前後方向へ数回往復させる。これにより制御部１０４は、突出部１７２を紙幣束Ｗに当接させて前方向または後方向へ向かう力を加え、この力の作用により、他の紙幣束Ｗの上に乗り上げる等といった閉塞異常予備状態の解消、すなわち紙幣束検知部６０の光軸Ｘ１及びＸ２を横切る状態の解消を図る。
【００９９】
ここで制御部１０４は、紙幣束検知部６０から再度検知結果を取得し、閉塞異常予備状態の紙幣束Ｗを検知するか否かを確認する。ここで制御部１０４は、紙幣束Ｗの存在を検知しなくなった場合、閉塞異常予備状態が解消されたものと判断し、金融機関の職員等への通知を行わない。一方、制御部１０４は、紙幣束Ｗの存在を再び検知した場合、閉塞異常予備状態が継続しているものと判断し、金融機関の職員等への通知を行い、この紙幣束Ｗの除去を促す。
【０１００】
すなわち紙幣出金機１０１は、紙幣束検知部６０により紙幣束Ｗの存在を検知した場合、束搬送ガイド１２２を前後方向に移動させることにより、閉塞異常予備状態の解消を図ることができる。これにより紙幣出金機１０１は、金融機関の職員等により保守作業を行わせる頻度を低減でき、作業負担を軽減できると共に、該紙幣出金機１０１を正常に運用できる度合、いわゆる可用性を高めることができる。
【０１０１】
また束搬送ガイド１２２は、本体部１７１の下面のうち、後側のみに突出部１７２を設けた。これにより束搬送ガイド１２２は、前側に移動されて集積部１６（図１）における集積空間１６Ｓの上側を閉塞している場合に、放出部から放出された紙幣が引っ掛かる等の悪影響を及ぼすこと無く集積させることができ、また後側へ移動された場合に閉塞異常予備状態の解消を図ることができる。
【０１０２】
その他の点においても、紙幣出金機１０１は、第１の実施の形態による紙幣出金機１と同様の作用効果を奏し得る。
【０１０３】
以上の構成によれば、第２の実施の形態による紙幣出金機１０１では、紙幣束検知部６０を設け、その光軸Ｘ１及びＸ２を仮想的な最短円弧ＣＳよりも下流側に位置させるようにした（図５）。これにより紙幣出金機１では、着脱されるリジェクトカセット１７を簡素な構成としながら、閉塞異常予備状態の紙幣束Ｗの存在を確実に検知でき、保守作業の実施を促すことができる。これに加えて紙幣出金機１０１では、束搬送ガイド１２２における本体部１７１の下面に突出部１７２を設けたため（図８）。該束搬送ガイド１２２を前後方向へ移動させることにより、閉塞異常予備状態の解消を図ることができる。
【０１０４】
［３．他の実施の形態］
なお上述した第１の実施の形態においては、リジェクトカセット１７において取込孔１７Ｈよりも後側に第２収納空間３７Ｓを形成し、両者を連通させる連通空間４３の側面である第１ガイド面４１を鉛直方向に対し傾斜させる場合について述べた（図２）。しかしながら本発明はこれに限らず、例えば取込孔１７Ｈの真下に第２収納空間３７Ｓを形成し、連通空間４３を上下方向に沿って形成し、第１ガイド面４１を鉛直方向に沿った平面としても良い。第２の実施の形態についても同様である。
【０１０５】
また上述した第１の実施の形態においては、紙幣束検知部６０において、第１検知光Ｌ１の光軸Ｘ１及び第２検知光Ｌ２の光軸Ｘ２のうち搬送路後下空間２８及び連通空間４３の内側にある部分の全範囲を、何れも最短円弧ＣＳよりも下流側に位置させる場合について述べた（図５（Ａ））。しかしながら本発明はこれに限らず、例えば交点ＸＱ、すなわち光軸Ｘ１及びＸ２が後部ガイド２４の前側面２４Ｆと交差する点を点Ｑ１よりも上側に位置させ、該光軸Ｘ１及びＸ２の一部を最短円弧ＣＳよりも上側に位置させても良い。これにより、紙幣束Ｗが閉塞異常予備状態である場合のうち一部の場合を検知できない恐れがあるものの、紙幣束Ｗが閉塞異常予備状態でない場合を閉塞異常予備状態として誤検知する頻度を低減させることができる。第２の実施の形態についても同様である。
【０１０６】
さらに上述した第１の実施の形態においては、プリズム６３を第１ガイド面４１の前下側に取り付け、第１検知光Ｌ１及び第２検知光Ｌ２の通過部分に貫通孔をそれぞれ形成する場合について述べた。しかしながら本発明はこれに限らず、例えば第１ガイド面４１に比較的大きな貫通孔を形成してプリズム６３の一部又は全部を埋め込むようにして取り付けても良い。この場合、光軸Ｘ１及びＸ２が第１ガイド面４１の法線方向に沿っていることにより、プリズム６３の表面が該第１ガイド面４１とほぼ平行となる。これによりプリズム６３は、紙幣束Ｗの少なくとも一部が第１ガイド面４１に沿って摺動しながら下降する場合に、その表面に付着した塵や埃等が払い落とされるため、第１検知光Ｌ１及び第２検知光Ｌ２がこの塵や埃等により減衰若しくは遮断される可能性を低減させることができる。第２の実施の形態についても同様である。
【０１０７】
さらに上述した第１の実施の形態においては、紙幣束検知部６０において前下方向へ向かう第１検知光Ｌ１の進行方向を変更して、後上方向へ向かう第２検知光Ｌ２とするための光学部品としてプリズム６３を用い、これを第１ガイド面４１に取り付ける場合について述べた。しかしながら本発明はこれに限らず、例えば２枚以上の鏡を組み合わせてなる光学部品等、種々の光学部品を第１ガイド面４１に取り付けても良い。要は、電源の供給や通信等を必要とせず、前下方向へ向かう第１検知光Ｌ１の進行方向を変更して、後上方向へ向かう第２検知光Ｌ２とすることができれば良い。第２の実施の形態についても同様である。
【０１０８】
さらに上述した第１の実施の形態においては、左右方向から見て光軸Ｘ１及びＸ２が重なるような位置に、紙幣束検知部６０の発光部６１、受光部６２及びプリズム６３をそれぞれ配置する場合について述べた（図５（Ａ））。しかしながら本発明はこれに限らず、例えば光軸Ｘ１に対し光軸Ｘ２を上流側又は下流側に位置させても良く、また第１ガイド面４１に対する光軸Ｘ１の角度及び光軸Ｘ２の角度を互いに相違させても良い。すなわち光軸Ｘ１及びＸ２は、第１ガイド面４１の法線と異なる角度に傾斜させても良い。第２の実施の形態についても同様である。
【０１０９】
さらに上述した第１の実施の形態においては、シャッタ４５を開放時に取込孔１７Ｈの後側、すなわち連通空間４３及び取込孔１７Ｈを挟んで第１ガイド面４１と反対側へ移動（スライド）させる場合について述べた。しかしながら本発明はこれに限らず、例えばシャッタ４５を開放時に取込孔１７Ｈの前側へ移動させるようにしても良く、或いは所定の回動軸を中心として回動させる等、他の種々の方式により該シャッタ４５を取込孔１７Ｈに対し開閉させるようにしても良い。第２の実施の形態についても同様である。
【０１１０】
さらに上述した第２の実施の形態においては、束搬送ガイド１２２に設ける突出部１７２を、左右方向から見て直角三角形状に形成する場合について述べた。しかしながら本発明はこれに限らず、例えば左右方向から見て二等辺三角形状や半楕円状等、種々の形状としても良い。
【０１１１】
さらに上述した第１の実施の形態においては、紙葉状の媒体である紙幣を束状に集積して紙幣束Ｗとして出金する紙幣出金機１に本発明を適用する場合について述べた。しかしながら本発明はこれに限らず、例えば証券や金券、或いは商品券や入場券等、種々の紙葉状の媒体を集積してなる媒体束を取り扱う種々の装置に適用しても良い。第２の実施の形態についても同様である。
【０１１２】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１３】
さらに上述した第１の実施の形態においては、本体部としての収納筐体１０及び束搬送ユニット３と、媒体収納庫としてのリジェクトカセット１７とにより媒体取引装置を構成する場合について述べた。この場合、本体部を、束搬送部としての束搬送ユニット３と、発光部としての発光部６１と、受光部としての受光部６２とにより構成し、媒体収納庫を、取込孔としての取込孔１７Ｈと、収納空間としての第２収納空間３７Ｓと、連通空間としての連通空間４３と、シャッタしてのシャッタ４５と、導光部としてのプリズム６３とにより構成した。しかしながら本発明はこれに限らず、その他種々の構成でなる本体部と、媒体収納庫とにより媒体取引装置を構成し、本体部を、その他種々の構成でなる束搬送部と、発光部と、受光部とにより構成し、媒体収納庫を、その他種々の構成でなる取込孔と、収納空間と、連通空間と、シャッタと、導光部とにより構成しても良い。
【産業上の利用可能性】
【０１１４】
本発明は、例えば紙幣を束状に集積して紙幣束Ｗとして出金する紙幣出金機１において、該紙幣束Ｗを収納するリジェクトカセット１７を収納筐体１０に対し着脱可能とする場合に利用できる。
【符号の説明】
【０１１５】
１、１０１……紙幣出金機、２……収納ユニット、３、１０３……束搬送ユニット、３Ｙ……束搬送路、４、１０４……制御部、１０……収納筐体、１１……紙幣カセット、１７……リジェクトカセット、１７Ｈ……取込孔、１７Ｕ……通過孔、２２、１２２……束搬送ガイド、２４……後部ガイド、２４Ｆ……前側面、２８……搬送路後下空間、３７Ｓ……第２収納空間、４１……第１ガイド面、４２……第２ガイド面、４３……連通空間、４５……シャッタ、６０……紙幣束検知部、６１……発光部、６２……受光部、６３……プリズム、１７１……本体部、１７２……突出部、ＣＳ……最短円弧、Ｌ……検知光、Ｌ１……第１検知光、Ｌ２……第２検知光、Ｗ……紙幣束、ＷＳ……最短紙幣束、Ｘ１、Ｘ２……光軸。
【図１】
2018030679.tif 000003
【図２】
2018030679.tif 000004
【図３】
2018030679.tif 000005
【図４】
2018030679.tif 000006
【図５】
2018030679.tif 000007
【図６】
2018030679.tif 000008
【図７】
2018030679.tif 000009
【図８】
2018030679.tif 000010
【図９】
2018030679.tif 000011